(57)【要約】【課題】被写体を容易に撮影することが可能であるとともに、操作性を向上することが可能な端末装置を提供する。【解決手段】本発明に係る端末装置１０は、筺体の主面１０ａの垂直方向に対して所定の角度で傾斜する傾斜側面１０ｂと、主面１０ａの垂直方向に対して光軸方向が斜めになるように傾斜側面１０ｂに配置された撮像部１１と、主面１０ａに配置され、撮像部１１から取り込まれる取り込み画像を表示する表示部１２と、傾斜側面１０ｂに配置され、外部からの操作を受け付ける操作部１３と、を備えるものである。【選択図】図１
2014078874.tif 000002
【特許請求の範囲】
【請求項１】
筺体の主面の垂直方向に対して所定の角度で傾斜する傾斜側面と、
前記主面の垂直方向に対して光軸方向が斜めになるように前記傾斜側面に配置された撮像部と、
前記主面に配置され、前記撮像部から取り込まれる取り込み画像を表示する表示部と、
前記傾斜側面に配置され、外部からの操作を受け付ける操作部と、
を備える端末装置。
【請求項２】
前記主面と前記傾斜側面とが接する角度は鋭角をなす、
請求項１に記載の端末装置。
【請求項３】
前記傾斜側面は、前記端末装置をユーザが把持して操作する際に、前記主面の上側となる側面である、
請求項１または２に記載の端末装置。
【請求項４】
前記操作部は、前記端末装置をユーザが把持して操作する際に、前記傾斜側面の右側に配置される、
請求項１乃至３のいずれか一項に記載の端末装置。
【請求項５】
前記筺体を設置面に設置するための脚部をさらに設け、
前記操作部は、前記脚部によって前記筺体を前記設置面に設置した場合に、前記傾斜側面の上側に配置される、
請求項１乃至４のいずれか一項に記載の端末装置。
【請求項６】
前記傾斜側面は、前記操作部の周辺部にテーパー状のテーパー部が形成されている、
請求項１乃至５のいずれか一項に記載の端末装置。
【請求項７】
前記操作部による操作は、前記端末装置の主要動作用電源を制御する操作、前記表示部の表示を制御する操作、前記撮像部による撮像処理を実行する操作の少なくともいずれか一つの操作を含む、
請求項１乃至６のいずれか一項に記載の端末装置。
【請求項８】
前記傾斜側面に配置され、前記筺体の外部に光を照射する発光部を更に備える、
請求項１乃至７のいずれか一項に記載の端末装置。
【請求項９】
前記発光部は、前記撮像部が撮像する被写体へ光を照射する、
請求項８に記載の端末装置。
【請求項１０】
前記傾斜側面に配置され、前記筺体の外部の音を集音する集音部を更に備える、
請求項１乃至９のいずれか一項に記載の端末装置。
【請求項１１】
前記集音部は、前記撮像部が撮像する被写体からの音を集音する、
請求項１０に記載の端末装置。
【請求項１２】
無線通信を行う通信部と、
前記通信部に接続され、前記筐体から引き出す形態のアンテナ部と、をさらに設け、
前記アンテナ部の先端は、前記アンテナ部が前記筺体に収納されている状態において、前記傾斜側面に配置される、
請求項１乃至１１のいずれか一項に記載の端末装置。
【請求項１３】
前記傾斜側面に、前記傾斜側面の表面よりも内側に前記アンテナ部の先端を収納する先端収納部を備える、
請求項１２に記載の端末装置。
【請求項１４】
前記先端収納部は、前記アンテナ部の先端を収納したとき、前記アンテナ部の先端にユーザが指を掛ける指掛かり部を有する、
請求項１３に記載の端末装置。
【請求項１５】
前記指掛かり部は、前記アンテナ部の先端と前記筐体との間に設けられた所定のクリアランスである、
請求項１４に記載の端末装置。
【請求項１６】
前記指掛かり部は、前記傾斜側面の角部に設けられている、
請求項１４または１５に記載の端末装置。
【発明の詳細な説明】
【技術分野】
【０００１】
本発明は端末装置に関し、特に撮像部や操作部を備える端末装置に関する。
【背景技術】
【０００２】
近年、スマートフォン、タブレット端末、携帯電話などの端末装置が広く普及しており、このような端末装置の高機能化及び薄型化が進んでいる。一般的に、関連する端末装置は、筺体が略箱状（直方体形状）になっているものが多く、この筐体にカメラなどの撮像部、液晶ディスプレイなどの表示部、操作ボタンなどの操作部を有している。
【０００３】
例えば、特許文献１や２には、カメラ付携帯端末装置が開示されている。
【先行技術文献】
【特許文献】
【０００４】
【特許文献１】特開２０１０−１６４３９号公報
【特許文献２】特開２００７−６１４６号公報
【発明の概要】
【発明が解決しようとする課題】
【０００５】
特許文献１には、関連する端末装置において、表示部のある主面と対向する背面（底面）に撮像部を配置することが記載されている。このように関連する端末装置では、略箱状の筐体に撮像部を配置する場合、撮像部を筐体の背面や側面に配置することがある。
【０００６】
撮像部を略箱状の筐体の背面に配置する場合、たとえば、ユーザが前方に存在する被写体を撮影しようとすると、撮像部を被写体に正対させるために、表示部を被写体方向に対して垂直に立てた状態を維持する必要がある。この状態でユーザが表示部を見るためには、表示部を目の前まで持ってこなければならない。従って、ユーザは手を目の位置まで持ち上げるという苦しい体勢を強いられるという問題がある。
【０００７】
また、撮像部を略箱状の筺体の側面に配置する場合、たとえば、ユーザが前方に存在する被写体を撮影しようとすると、撮像部を被写体に正対させるために、表示部を被写体方向に対して水平に寝かせた状態を維持する必要がある、この状態でユーザが表示部を見るためには、表示部を覗きこまなければならない。従って、ユーザはやはり苦しい体勢を強いられるという問題がある。これらの問題は、被写体がユーザの前方にいる場合に限らず、ユーザの側方にいる場合にも同様である。
【０００８】
一方、特許文献１や２には、関連する端末装置において、表示部のある主面に操作部を配置することが記載されている。このように関連する端末装置では、略箱状の筐体に操作部を配置する場合、操作部を筐体の主面や側面に配置することがある。一般に操作部を操作しやすくするためには操作部の表面積を大きくする必要があるため、側面に配置した操作部の操作性を向上させる場合には、筺体を厚くしなければならない。したがって、薄型化を実現しつつ操作性を向上させることは困難である。
【０００９】
また、ユーザが操作する際に横側に当たる側面に操作部を配置する場合、ユーザが操作部を操作しようとすると、手首を立てた状態（手のひらと手の甲を垂直にする＝前へならえの形）で操作する必要があるため、操作しにくいという問題がある。さらに、ユーザが操作する際に上側や下側に当たる側面に操作部を配置する場合、ユーザが操作部を操作しようとすると、指先を深く折り曲げた状態か、手首を折り曲げた状態で操作する必要があるため、やはり操作しにくいという問題がある。特に、前述のように一般に側面に配置された操作部は表面積を充分確保できないので、これらの操作しにくさが顕著になる。
【００１０】
このように、関連する端末装置では、ユーザが楽な体勢で被写体を撮影することが困難であるとともに、操作性が悪いという問題がある。
【００１１】
上記課題に鑑み本発明の目的は、被写体を容易に撮影することが可能であるとともに、操作性を向上することが可能な端末装置を提供することである。
【課題を解決するための手段】
【００１２】
本発明に係る端末装置は、筺体の主面の垂直方向に対して所定の角度で傾斜する傾斜側面と、前記主面の垂直方向に対して光軸方向が斜めになるように前記傾斜側面に配置された撮像部と、前記主面に配置され、前記撮像部から取り込まれる取り込み画像を表示する表示部と、前記傾斜側面に配置され、外部からの操作を受け付ける操作部と、を備えるものである。
【発明の効果】
【００１３】
本発明によれば、被写体を容易に撮影することが可能であるとともに、操作性を向上することが可能な端末装置を提供することができる。
【図面の簡単な説明】
【００１４】
【図１】実施の形態１に係る端末装置の外観図である。
【図２】実施の形態１に係る端末装置の使用状態を説明するための説明図である。
【図３Ａ】実施の形態２に係る携帯端末装置の外観斜視図である。
【図３Ｂ】実施の形態２に係る携帯端末装置の外観斜視図である。
【図３Ｃ】実施の形態２に係る携帯端末装置の外観斜視図である。
【図３Ｄ】実施の形態２に係る携帯端末装置の外観斜視図である。
【図４Ａ】実施の形態２に係る携帯端末装置の外観図である。
【図４Ｂ】実施の形態２に係る携帯端末装置の外観図である。
【図４Ｃ】実施の形態２に係る携帯端末装置の外観図である。
【図４Ｄ】実施の形態２に係る携帯端末装置の外観図である。
【図４Ｅ】実施の形態２に係る携帯端末装置の外観図である。
【図４Ｆ】実施の形態２に係る携帯端末装置の外観図である。
【図５Ａ】実施の形態２に係る携帯端末装置の透視図である。
【図５Ｂ】実施の形態２に係る携帯端末装置の透視図である。
【図６Ａ】実施の形態２に係る携帯端末装置の使用状態を説明するための説明図である。
【図６Ｂ】実施の形態２に係る携帯端末装置の使用状態を説明するための説明図である。
【図７Ａ】実施の形態２に係る携帯端末装置のアンテナ部の拡大断面図である。
【図７Ｂ】実施の形態２に係る携帯端末装置のアンテナ部の拡大斜視図である。
【図８Ａ】実施の形態２に係る携帯端末装置の操作キー部の拡大断面図である。
【図８Ｂ】実施の形態２に係る携帯端末装置の操作キー部の拡大断面図である。
【図９】実施の形態２に係る携帯端末装置の機能ブロックを示すブロック図である。
【発明を実施するための形態】
【００１５】
（実施の形態１）
以下、図面を参照して本発明の実施の形態１について説明する。図１（ａ）は、本実施の形態に係る端末装置１０の正面外観図であり、図１（ｂ）はその側面外観図であり、図１（ｃ）はその背面（裏面）外観図である。
【００１６】
図１に示すように、端末装置１０は、筐体の主面１０ａと傾斜側面１０ｂとを有する。主面１０ａは、ユーザが筐体を把持したときにユーザと対向する面である。傾斜側面１０ｂは、主面１０ａの垂直方向に対して所定の角度αで傾斜する面である。また、端末装置１０は、撮像部１１、表示部１２、操作部１３を備えている。
【００１７】
撮像部１１は、カメラ等であり、主面１０ａの垂直方向に対して光軸方向が斜めになるように、傾斜側面１０ｂに配置されている。例えば、撮像部１１の光軸方向は傾斜側面１０ｂに対し垂直であり、光軸方向は主面１０ａの垂直方向に対し角度β（＝９０°−α）で傾いている。なお、光軸方向は、主面１０ａの垂直方向に対して斜めであればよく、傾斜側面１０ｂに垂直とは限られない。
【００１８】
表示部１２は、液晶ディスプレイ等であり、表示部１２を主面１０ａに配置されている。表示部１２は、撮像部１１から取り込まれる取り込み画像を表示する。操作部１３は、押下ボタンや操作キー、タッチパネル等であり、傾斜側面１０ｂに配置されている。操作部１３は、端末装置１０を操作するために外部のユーザからの操作を受け付ける。
【００１９】
図２は、本実施の形態に係る端末装置１０の使用時の状態を示している。上記課題で説明したように、関連する端末装置では、筐体の背面等に撮像部を配置しているため、撮影時にユーザは苦しい体勢を強いられるという問題があった。これに対し、本実施の形態に係る端末装置１０は、図２に示すように、主面１０ａに対し光軸方向が斜めになるように傾斜側面１０ｂに撮像部１１を配置している。このため、主面１０ａの表示部１２を見るような通常の操作状態と同様に、端末装置１０を水平方向に対して斜めに把持するだけで、撮像部１１の光軸方向が被写体へ向かうようなる。したがって、ユーザが自然な体勢で表示部１２を見ながら傾斜側面方向の被写体を容易に撮影することができる。
【００２０】
また、上記課題で説明したように、関連する端末装置では、筐体の側面等に操作部を配置しているため、筐体を厚くしなければ操作性が悪いという問題があった。これに対し、本実施の形態に係る端末装置１０は、図２に示すように、主面１０ａに対し傾斜する傾斜側面１０ｂに操作部１３を配置している。傾斜側面１０ｂが主面１０ａの垂直方向に対し傾斜しているため、主面１０ａに対し垂直な側面と比べて、側面の表面積が増加する。したがって、筺体の厚さを増加させることなく、操作部１３の表面積を増加させることができるので、ユーザの操作性を向上することができる。
【００２１】
このように、本実施の形態では、主面の垂直方向に対し斜めに傾斜する傾斜側面に撮像部と操作部を設けることにより、ユーザが自然な体勢で表示部を見ながら被写体を容易に撮影することができるようになるとともに、ユーザの操作性が向上するという格別な効果を得られる。
【００２２】
また、図１のように、本実施の形態では、主面１０ａと傾斜側面１０ｂとが接する角度は鋭角である。これにより、ユーザが、端末装置の主面をユーザ側に向け、主面と対向する背面側で、手の甲を向こう側に向けて指で操作部を操作する場合に（端末装置の背面側から指で操作する場合）、格別に操作しやすくなる。さらには手が邪魔になることなく表示部を見ながら操作することもできる。
【００２３】
また、図１のように、本実施の形態では、傾斜側面は、端末装置をユーザが把持して操作する際に、主面の上側となる側面である。これにより、上記のように端末装置の背面側から指で操作する場合、特に、人差し指、中指、薬指、小指で操作部を操作しやすくなる。さらには手が邪魔になることなく表示部を見ながら操作することもできる。
【００２４】
さらに、図１のように、本実施の形態では、操作部は、端末装置をユーザが把持して操作する際に、傾斜側面の右側に配置される。これにより、上記のように端末装置の背面側から指で操作する場合、特に、右手の人差し指、中指で操作部を操作しやすくなる。さらには手が邪魔になることなく表示部を見ながら操作することもできる。
【００２５】
（実施の形態２）
以下、図面を参照して本発明の実施の形態２について説明する。本実施の形態では、実施の形態１の端末装置のさらに具体的な例を説明する。なお、以下では特に断りのない限り、筐体の上下左右とは、ユーザが筐体を把持したときにユーザから見た上下左右をいうものとする。
【００２６】
図３Ａ〜図３Ｄは、本実施の形態に係る携帯端末装置１００の外観構成を示す斜視図である。図３Ａは、携帯端末装置１００の左正面斜視図、図３Ｂは、その右正面斜視図、図３Ｃは、その右背面斜視図、図３Ｄは、その左背面斜視図である。図４Ａ〜図４Ｆは、図３Ａ〜図３Ｄの携帯端末装置１００の外観構成を示す六面図である。図４Ａは、携帯端末装置１００の正面図、図４Ｂは、その上側面図、図４Ｃは、その左側面図、図４Ｄは、その右側面図、図４Ｅは、その下側面図、図４Ｆは、その背面図である。図５Ａ及び図５Ｂは、図３Ａ〜図３Ｄの携帯端末装置１００の内部構成を示す透視図である。図５Ａは、携帯端末装置１００の正面透視図、図５Ｂは、その背面透視図である。
【００２７】
本実施の形態に係る携帯端末装置１００は、例えばスマートフォン、タブレット端末、携帯電話、ゲーム機、電子書籍端末などユーザが携帯可能な端末装置である。
【００２８】
図３Ａ〜図３Ｄ及び図４Ａ〜図４Ｆに示すように、携帯端末装置１００は、筺体が略箱状（直方体形状）である。筐体の各面を主面１０１、上側面１０２、左側面１０３、右側面１０４、下側面１０５、背面１０６と称する。主面（前面）１０１は、ユーザが携帯端末装置１００を把持したときにユーザと対向する手前側の面であり、背面（裏面）１０６は主面１０１と対向する反対側の面である。上側面１０２、左側面１０３、右側面１０４、下側面１０５は、それぞれ、上側、左側、右側、下側の側面である。なお、ここでは、筐体が略箱状の例について説明するが、略箱状に限らず、表示部が配置された主面と、その主面の垂直方向に対して所定の角度で傾斜する傾斜側面とを有する形状であれば良い。
【００２９】
携帯端末装置１００の筐体は、主面パネル３００、主面ケース３０１、背面ケース３０２、上側面ケース３０３、下側面ケース３０４から構成されている。主面ケース３０１、背面ケース３０２、上側面ケース３０３、下側面ケース３０４は外装ケース（外装カバー）である。これらの外装ケースと主面パネル３００とを接合した内部に、図５Ａ及び図５Ｂに示す内部構成が収容されている。
【００３０】
主面ケース３０１は、主面パネル３００の周辺端部から左側面１０３及び右側面１０４の略中央部までを覆っている。背面ケース３０２は、左側面１０３及び右側面１０４の略中央部から背面１０６の全体を覆っている。上側面ケース３０３は上側面１０２の略全面を覆い、下側面ケース３０４は下側面１０５の略全面を覆っている。
【００３１】
すなわち、主面１０１は、主面パネル３００及び主面ケース３０１から構成され、左側面１０３は、主面ケース３０１及び背面ケース３０２から構成され、右側面１０４は、主面ケース３０１及び背面ケース３０２から構成され、上側面１０２は、上側面ケース３０３から構成され、下側面１０５は、下側面ケース３０４から構成され、背面１０６は、背面ケース３０２から構成されている。
【００３２】
図４Ａ、図５Ａ等に示すように、携帯端末装置１００は、主面１０１に、表示部１１１、タッチパネル１１２、インカメラ１１３、スピーカ１１４、近接／照度センサ１１５、ＬＥＤ１１６、マイク１１７、ハードキー１１８（１１８ａ〜１１８ｃ）を備えている。
【００３３】
主面１０１の略中央部に、表示部１１１及びタッチパネル１１２が配置されている。例えば、主面パネル３００は、表示部１１１及びタッチパネル１１２を含む表示モジュールである。例えば、図５Ａに示すように、主面パネル３００表面のガラス面（不図示）の背面（内側）にタッチパネル１１２が配置され、タッチパネル１１２の背面に表示部１１１が接着剤等で接合されている。
【００３４】
表示部１１１は、液晶ディスプレイや有機ＥＬディスプレイ等の表示ディスプレイであり、ＧＵＩや撮影した画像等を表示する。タッチパネル１１２は、表示部１１１に表示されているＧＵＩや画像等へのタッチ（接触）操作を検出する。
【００３５】
主面１０１における表示部１１１の上側領域に、インカメラ１１３、スピーカ１１４、近接／照度センサ１１５及びＬＥＤ１１６が配置されている。例えば、図５Ａに示すように、主面パネル３００表面のガラス面の内側にインカメラ１１３、スピーカ１１４、近接／照度センサ１１５、ＬＥＤ１１６が配置されている。
【００３６】
インカメラ１１３は、ユーザが筐体を把持したときにユーザ方向が光軸方向となり、主にユーザ自身等を撮像するカメラである。スピーカ（受話口）１１４は、通話等の音声を出力する。スピーカ１１４は、通話時にユーザの耳に近い位置となるように、主面１０１上部の略中央に配置されている。
【００３７】
近接／照度センサ１１５は、主面１０１にユーザが近接したことや、周囲の照度を検出する。例えば、近接／照度センサ１１５は、通話時にユーザが主面１０１に近づいたことを検出し、タッチパネル１１２の操作をロックして誤操作を防止する。また、近接／照度センサ１１５は、周囲の明るさを検出し、検出した明るさに応じて表示部１１１の明るさを調整する。ＬＥＤ（お知らせＬＥＤ）１１６は、携帯端末装置１００の各種状態をユーザに通知する。例えば、ＬＥＤ１１６は、着信や電池残量、充電状態等を通知するため、それぞれの状態に応じた色で点灯もしくは点滅する。
【００３８】
主面１０１における表示部１１１の下側領域に、マイク１１７及びハードキー１１８が配置されている。例えば、図５Ａに示すように、主面パネル３００表面のガラス面の内側にマイク１１７が配置され、主面パネル３００の端部に隣接してハードキー１１８が配置されている。
【００３９】
マイク（送話口）１１７は、通話等の音声を入力する。マイク１１７は、通話時にユーザの口に近い位置となるように、主面１０１の下側に配置されている。
【００４０】
ハードキー１１８は、ユーザが頻繁に操作を行う操作ボタンである。ハードキー１１８は、ユーザが操作しやすいように、主面１０１の下側に配置されている。例えば、ハードキー１１８として、メニューキー１１８ａ、ホームキー１１８ｂ、バックキー１１８ｃの３つの操作ボタンを有している。メニューキー１１８ａは、表示部１１１にメニュー画面を表示するためのボタンである。ホームキー１１８ｂは、表示部１１１にホーム画面を表示するためのボタンである。バックキー１１８ｃは、表示部１１１に前の画面を表示するためのボタンである。なお、ハードキー１１８は、タッチパネル等であってもよい。
【００４１】
図４Ｂ等に示すように、携帯端末装置１００は、上側面１０２に、トップカメラ１２１、ＬＥＤ１２２（１２２ａ、１２２ｂ）、ＬＥＤ１２３、操作キー１２４、マイク１２５、アンテナ先端部２０１を備えている。
【００４２】
上側面１０２は、主面１０１の垂直方向に対して所定の角度で傾斜した傾斜側面である。上側面１０２と主面１０１とが接する角度は鋭角である。なお、ここでは、上側面を傾斜側面の例を説明するが、その他の任意の側面を傾斜側面としてもよい。
【００４３】
上側面１０２（上側面ケース３０３の表面）は、ほぼ平面である。トップカメラ１２１、ＬＥＤ１２２及び１２３、操作キー１２４、マイク１２５、アンテナ先端部２０１を含むアンテナ２００（図５Ｂ）は、筐体内部の基板に接続されて動作する。
【００４４】
上側面１０２の略中央にトップカメラ１２１が配置されている。トップカメラ１２１は、ユーザが通常の操作状態と同様に水平方向に対し斜めに筐体を把持したときに前方を光軸方向とし、主に前方の被写体を撮像するカメラである。トップカメラ１２１は、主面１０１の垂直方向に対し光軸方向が斜めに傾いている。トップカメラ１２１の光軸方向が主面１０１に対し傾斜しているため、ユーザが自然な体勢で表示部を見ながら前方の被写体を容易に撮影することができる。
【００４５】
トップカメラ１２１の周囲にＬＥＤ１２２が配置されている。ＬＥＤ１２２は、トップカメラ１２１の各種状態を被写体側へ通知するインジケータである。例えば、ＬＥＤ１２２は、トップカメラ１２１の撮影状態等に応じた色で点灯もしくは点滅する。この例では、ＬＥＤ１２２として、トップカメラ１２１の右側にＬＥＤ１２２ａが配置され、左側にＬＥＤ１２２ｂが配置されている。トップカメラ１２１により通常の操作状態で撮影が可能であるため、周囲からは撮影状態であることが判別しにくい。このため、撮影状態に応じてＬＥＤ１２２を点灯させることで、周囲から見てトップカメラ１２１により撮影していることを一目で判別することができる。
【００４６】
さらに、ＬＥＤ１２２ａの右側にＬＥＤ１２３が配置されている。ＬＥＤ１２３は、トップカメラ１２１の撮影時に被写体を照射するライトである。上側面（傾斜側面）にＬＥＤ１２２やＬＥＤ１２３を配置することにより、ユーザが自然な体勢で上側面方向に光を照射させることができる。また、トップカメラ１２１の光軸方向と、ＬＥＤ１２２やＬＥＤ１２３の照射方向は略同じであるため、被写体への各種状態の通知や、被写体の照射を効果的に行うことができる。
【００４７】
ＬＥＤ１２３の右側に操作キー１２４が配置されている。操作キー１２４は、携帯端末装置１００の各種操作を行う操作ボタンである。例えば、操作キー１２４は、携帯端末装置１００の電源のオン／オフ（いずれかもしくは両方）を切り替える電源キーである。また、操作キー１２４は、表示部１１１の画面表示のオン／オフ（いずれかもしくは両方）を切り替えるスリープキーや、トップカメラ１２１の静止画撮影開始、動画撮影開始／停止（いずれかもしくは両方）の撮像処理を実行するシャッターキー等でもよい。操作キー１２４をこれらのキーとすることにより、使用頻度の高い操作やトップカメラを利用する処理に関する操作性を向上することができる。
【００４８】
なお、操作キー１２４は、ハードキー１１８のように複数の操作ボタンとしてもよいし、ボタン式のハードキーに限らず、シートキー、タッチパネルキー等でも良い。主面１０１に対し傾斜する上側面１０２に操作キー１２４を配置することにより、筺体の厚さを増加させることなく、操作部の表面積を増加させることができるため、操作性を向上することができる。
【００４９】
ＬＥＤ１２２ｂの左側にマイク１２５が配置されている。マイク１２５は、トップカメラ１２１で動画を撮影する場合や音声を録音する場合等に音声を入力する。上側面（傾斜側面）にマイク１２５を配置することにより、ユーザが自然な体勢で上側面方向の音を集音することができる。また、トップカメラ１２１の光軸方向と、マイク１２５の集音方向は略同じであるため、被写体の音を効果的に集音することができる。
【００５０】
マイク１２５の左側、すなわち上側面１０２の左端部にアンテナ先端部２０１が配置されている。携帯端末装置１００は、アンテナ２００が収納可能に設けられており、図３Ａ〜図３Ｄ、図４Ａ〜図４Ｆ、図５Ａ及び図５Ｂはアンテナ２００を筐体内部に収納した状態を示している。アンテナ２００を収納した状態で、上側面１０２には、アンテナ２００の先端であるアンテナ先端部２０１の表面が露出している。アンテナ２００は、テレビやラジオ等の受信用アンテナや、基地局との無線通信用のアンテナである。
【００５１】
図４Ｃ等に示すように、携帯端末装置１００は、左側面１０３の略中央に接続端子１３１を備えている。接続端子１３１は、外部装置であるクレードル等と電気的に接続するための端子である。例えば、接続端子１３１を介して携帯端末装置１００の電源である充電池を充電することができる。
【００５２】
図４Ｄ等に示すように、携帯端末装置１００は、右側面１０４に、ＵＳＢインタフェース１４１、イヤホンジャック１４２、選択キー１４３を備えている。右側面１０４の上側にＵＳＢインタフェース１４１が配置されている。ＵＳＢインタフェース１４１は、パーソナルコンピュータ等の外部装置と接続するためのインタフェースである。ＵＳＢインタフェース１４１は、接続端子がカバーで覆われている。
【００５３】
ＵＳＢインタフェース１４１の下側にイヤホンジャック１４２が配置されている。イヤホンジャック１４２は、イヤホンプラグを差し込むための差込口である。
【００５４】
右側面１０４の下側に選択キー１４３が配置されている。選択キー１４３は、携帯端末装置１００の各種操作を行う操作ボタンである。選択キー１４３は、２つの操作を選択することができる。例えば、選択キー１４３は、ボリュームキーであり、スピーカの音量の上下を操作する。選択キー１４３は、その他、テレビやラジオのチャンネル切替等を操作してもよい。
【００５５】
図４Ｆ、図５Ｂ等に示すように、携帯端末装置１００は、背面１０６に、リアカメラ１６１、ＬＥＤ１６２、赤外線ポート１６３、スタンド２１０を備えている。背面１０６の上部領域にリアカメラ１６１、ＬＥＤ１６２、赤外線ポート１６３が配置されている。
【００５６】
背面１０６の上部領域の略中央にリアカメラ１６１が配置されている。リアカメラ１６１は、ユーザが筐体を垂直に把持したときに前方を光軸方向とし、主に前方の被写体を撮像するカメラである。リアカメラ１６１は、光軸方向が主面（背面）の垂直方向とほぼ同じ方向である。
【００５７】
リアカメラ１６１の右側（背面側から見て左側）にＬＥＤ１６２が配置されている。ＬＥＤ１６２は、リアカメラ１６１の撮影時に被写体を照射するライトである。被写体を効果的に明るくするために、トップカメラ１２１の光軸方向と、ＬＥＤ１２３の照射方向は略同じである。リアカメラ１６１の下側に赤外線ポート１６３が配置されている。赤外線ポート１６３は、赤外線を出力または入力し、外部装置との間で赤外線通信を行う。
【００５８】
背面１０６の下部領域にスタンド２１０が配置されている。スタンド２１０は、携帯端末装置１００の左側面１０３を下にした状態（横置き状態）で設置面（載置面）に設置（載置）するための支持部材である。図３Ａ〜図３Ｄ、図４Ａ〜図４Ｆ、図５Ａ及び図５Ｂは、スタンド未使用時（通常使用時）の状態を示しており、この状態で、スタンド２１０は、背面１０６の凹部の収納位置に収納されている。
【００５９】
図６Ａ及び図６Ｂは、本実施の形態に係る携帯端末装置１００のスタンド使用時の状態を示している。図６Ａは、携帯端末装置１００の斜視図であり、図６Ｂは、その側面図である。
【００６０】
スタンド２１０は、回動端２１０ａが背面１０６（背面ケース３０２）に回動可能に取り付けられている。スタンド未使用時、スタンド２１０は背面１０６の凹部２１１に収納されている。
【００６１】
スタンド使用時に、収納されている設置端２１０ｂを背面１０６の凹部２１１から取り出し、スタンド２１０を回動させて、所定の角度（例えば、６０°）の傾斜位置に固定する。なお、スタンド２１０を任意の角度で固定してもよい。
【００６２】
この状態で設置面に携帯端末装置１００を設置する場合、携帯端末装置１００の左側面１０３を設置面上に設置し、さらに、スタンド２１０の設置端２１０ｂを設置面に設置させて、背面１０６をスタンド２１０により支持する。これにより、設置面に対し携帯端末装置１００の表示部１１１が傾斜した状態で維持されるため、ユーザが表示部１１１を見やすい位置とすることができる。
【００６３】
スタンド２１０を使用して設置面に設置した時、上側面（傾斜側面）１０２の操作キー１２４は、ユーザから見て上側の位置となる。これにより、スタンド２１０によって筺体を設置面に設置した状態で、指で操作キーを操作する場合に、操作キーを操作しやすくなる。この場合、筐体の背面側に手を回す必要はなく、上側面（傾斜側面）を摘むようにして指で操作キーを操作するようにしてもよい。
【００６４】
図７Ａは、本実施の形態に係る携帯端末装置１００のアンテナ２００部分の拡大断面図、図７Ｂは、携帯端末装置１００のアンテナ２００部分の拡大斜視図である。本実施の形態では、上側面１０２が主面１０１に対し傾斜しているため、側面が主面に対し垂直の場合に比べて、筺体を厚くすること無く表面積が大きくなり、アンテナ先端部を大きくできるため、アンテナを引き出しやすくすることができる。
【００６５】
アンテナ２００は、棒状に延在するアンテナロッド部２０２と、アンテナロッド部２０２の先端に形成されたアンテナ先端部２０１とを有している。携帯端末装置１００は、上側面１０２の角部（左背面側）にアンテナ２００を収納するアンテナ収納孔２０３が形成されている。アンテナ２００のアンテナロッド部２０２は、アンテナ収納孔２０３に収納可能（引き出し可能）に設けられている。
【００６６】
アンテナ収納時、アンテナ先端部２０１が筐体内側へ押し込まれて、アンテナ収納孔２０３にアンテナロッド部２０２が収納される。アンテナ引き出し時、アンテナ先端部２０１が筐体外側へ引っ張られて、アンテナ収納孔２０３からアンテナロッド部２０２が引き出される。
【００６７】
上側面１０２には、アンテナ収納孔２０３の開口端部にアンテナ先端部２０１を収納するアンテナ収納凹部２０４が形成されている。アンテナ収納凹部２０４は、アンテナ先端部２０１の形に合わせた形状である。アンテナ収納凹部２０４は、底部が主面ケース３０１及び背面ケース３０２から構成され、側部が上側面ケース３０３及び背面ケース３０２から構成されている。
【００６８】
アンテナ先端部２０１は、表面である表面部２０１ａ、上側面１０２の外周端で表面部２０１ａから背面ケース３０２側へ形成されたテーパー部２０１ｂ、テーパー部２０１ｂからアンテナロッド部２０２へ向かて形成されたつまみ部２０１ｃ、上側面１０２の内側の側面となる側部２０１ｄ、側部２０１ｄからアンテナロッド部２０２へ向かう底部２０１ｅを有する。
【００６９】
アンテナ収納時、アンテナ先端部２０１がアンテナ収納凹部２０４に接触して固定される。アンテナ２００が押し込まれると、アンテナ先端部２０１は、底部２０１ｅが主面ケース３０１に当接し、つまみ部２０１ｃのアンテナロッド部２０２近傍部分が背面ケース３０２に当接することで、アンテナロッド部２０２の収納方向の位置が決まり、アンテナロッド部２０２がアンテナ収納孔２０３に収納される。さらに、アンテナ先端部２０１の側部２０１ｄが上側面ケース３０３の端部に接触し係止（嵌合もしくは係合）することで、アンテナ先端部２０１の各面の位置が決まり、アンテナ先端部２０１がアンテナ収納凹部２０４に収納される。
【００７０】
アンテナ収納凹部２０４にアンテナ先端部２０１を収納した状態では、アンテナ先端部２０１は、上側面ケース３０３（上側面１０２）からほぼ突出していない。すなわち、アンテナ先端部２０１の表面部２０１ａと上側面ケース３０３の表面とは、ほぼ面一となる。主面１０１に対し上側面１０２が斜めに傾斜しているのと同様に、アンテナロッド部２０２に対しアンテナ先端部２０１も斜めに傾斜している。これにより、ユーザが上側面を触った時の邪魔にならず、美観を損ねることがない。
【００７１】
また、上側面ケース３０３の端部にテーパー状のテーパー部３０３ａが形成され、主面ケース３０１の端部、背面ケース３０２の端部にも同様のテーパー部３０１ａ、３０２ａが形成されている。上側面ケース３０３のテーパー部３０３ａと主面ケース３０１のテーパー部３０１ａは、ほぼ同じ方向の連続した面を構成し、上側面ケース３０３のテーパー部３０３ａと背面ケース３０２のテーパー部３０２ａも、ほぼ同じ方向の連続した面を構成している。これにより、上側面ケース３０３と主面ケース３０１の接合部分（角部）、上側面ケース３０３と背面ケース３０２の接合部分（角部）における美観を向上させている。
【００７２】
アンテナ先端部２０１のテーパー部２０１ｂは、上側面ケース３０３のテーパー部３０３ａとほぼ同じ形状で形成されている。このため、アンテナ収納時、上側面ケース３０３のテーパー部３０３ａとアンテナ先端部２０１のテーパー部２０１ｂは、ほぼ同じ方向の連続した面を構成し、ほぼ面一となっている。したがって、アンテナ先端部２０１をアンテナ収納凹部２０４に収納した状態で、アンテナ先端部２０１のテーパー部２０１ｂと背面ケース３０２のテーパー部３０２ａも、ほぼ同じ方向の面を構成する。これにより、アンテナ先端部２０１周辺における美観を損ねることがない。
【００７３】
アンテナ先端部２０１をアンテナ収納凹部２０４に収納した状態では、アンテナ先端部２０１のつまみ部２０１ｃと背面ケース３０２との間にクリアランスＣ１が形成され、クリアランスＣ１の部分が指掛かり部２０５となる。すなわち、クリアランスＣ１を設けることにより、指を掛けてアンテナを引き出しやすくなる。例えば、クリアランスＣ１は０．４ｍｍである。
【００７４】
アンテナ２００を引き出す場合に、指掛かり部２０５に指（爪）を掛けて、アンテナ先端部２０１のつまみ部２０１ｃをつまんで、アンテナ先端部２０１を引き出す。指掛かり部２０５が上側面ケース３０３（上側面１０２）の角部にあるため、指（爪）を掛けやすい。また、指掛かり部２０５は、上側面１０２及び背面１０６に対し、アンテナが自然に押し出される角度で傾斜しているため、少ないクリアランスで指を掛けやすくすることができる。
【００７５】
指掛かり部２０５によって生じる線（アンテナ先端部２０１と背面ケース３０２との境界線もしくは境界領域）は、上側面ケース３０３と主面ケース３０１との境界線３１１と揃っており、また、上側面ケース３０３と背面ケース３０２との境界線３１２とも揃っている。すなわち、指掛かり部２０５は、境界線３１１及び境界線３１２とほぼ連続する線を構成する。これにより、上側面１０２周辺の美観を損ねることがない。
【００７６】
また、アンテナ先端部２０１と上側面ケース３０３との境界線３１４は、主面ケース３０１と背面ケース３０２との境界線３１３と揃っている。すなわち、境界線３１４と境界線３１３は、ほぼ連続する線を構成する。これにより、上側面１０２及び左側面１０３の美観を向上させている。
【００７７】
図８Ａ及び図８Ｂは、本実施の形態に係る携帯端末装置１００の操作キー１２４部分の拡大断面図である。本実施の形態では、上側面１０２が主面１０１に対し傾斜しているため、側面が主面に対し垂直の場合に比べて、筺体を厚くすること無く表面積が大きくなり、操作キーを大きくできるため操作しやすい。
【００７８】
操作キー１２４は、幅広で薄肉のフランジ部１２４ａと、フランジ部１２４ａから垂直に延在するボタン部１２４ｂを有している。上側面ケース３０３に操作キー１２４を配置するための開口部１２６が形成されている。操作キー１２４は、開口部１２６に筐体内部から摺動可能に配置されている。
【００７９】
操作キー１２４は、開口部１２６で筐体内側から押圧され、フランジ部１２４ａが上側面ケース３０３の内側に当接することで位置決めされている。操作キー１２４のボタン部１２４ｂは、上側面ケース３０３の表面より所定の高さで突出している。これにより、操作キー１２４の操作性が向上する。例えば、ボタン部１２４ｂの突出部分の高さＣ２は、０．４ｍｍであり、クリアランスＣ３は、０．１５ｍｍである。
【００８０】
上側面ケース３０３は、開口部１２６の周辺部にテーパー状のテーパー部３０３ｂが上側面ケース３０３の表面から筐体内側へ向かって形成されている。テーパー部によりキーの位置が触覚で分かりやすいため、さらに操作性が向上する。
【００８１】
次に、図９を用いて、本実施の形態に係る携帯端末装置１００の主要な機能を実現するための機能構成について説明する。図９に示すように、携帯端末装置１００は、制御部４０１、無線通信部４０２、チューナ４０４、表示部１１１、タッチパネル１１２、操作部４０６、音声入力部４０７、音声出力部４０８、撮像部４０９、記憶部４１０を備えている。
【００８２】
制御部４０１は、各部の動作を制御する制御部であり、例えばＣＰＵ等である。制御部４０１は、記憶部４１０に記憶されている制御プログラムやアプリケーションプログラムを実行し、各プログラムにしたがって各部の動作を制御する。
【００８３】
無線通信部４０２は、基地局や他の無線通信装置と無線通信を行うための通信部である。無線通信部４０２には、基地局等との間で電波（無線信号）を送受信するアンテナ４０３が接続されている。無線通信部４０２は、アンテナ４０３を介して、通話等のための音声信号を送受信し、また、撮像した画像等のデータ信号を送受信する。なお、無線に限らず有線通信やその他の通信制御を行ってもよい。例えば、アンテナ４０３は、図５Ｂ、図７Ａ等のアンテナ２００である。
【００８４】
チューナ４０４には、放送局等から電波を受信するアンテナ４０５が接続されている。チューナ４０４は、アンテナ４０５を介して放送信号を受信し、選択したチャンネルの映像信号や音声信号を生成する。例えば、アンテナ４０５は、図５Ｂ、図７Ａ等のアンテナ２００である。
【００８５】
表示部１１１は、図３Ａ、図３Ｂ、図４Ａ、図５Ａ等の表示部１１１である。表示部１１１は、制御部４０１からの指示にしたがってアイコン等のＧＵＩや画像、映像等を表示する。
【００８６】
タッチパネル１１２は、図３Ａ、図３Ｂ、図４Ａ、図５Ａ等のタッチパネル１１２であり、静電容量などを用いてユーザの指が触れた表示部１１１上の位置を検出し、検出した位置を示す信号を制御部４０１へ出力する。
【００８７】
操作部４０６は、図３Ａ〜図３Ｄ、図４Ａ〜図４Ｆ、図５Ａ及び図５Ｂのハードキー１１８、操作キー１２４に相当し、ユーザがボタンを押下したことを検出し、どのボタンが押下されたかを示す信号を制御部４０１へ出力する。
【００８８】
音声入力部４０７は、図３Ａ〜図３Ｄ、図４Ａ〜図４Ｆ、図５Ａ及び図５Ｂのマイク１１７、１２５に相当し、ユーザや被写体等からの音声（音）を入力する。音声出力部４０８は、図３Ａ、図３Ｂ、図４Ａ、図５Ａのスピーカ１１４に相当し、ユーザへ音声等を出力する。例えば、制御部４０１は、音声入力部４０７にユーザから入力される音声に応じた音声信号を無線通信部４０２を介して送信し、無線通信部４０２が受信した音声信号に応じた音声を音声出力部４０８からユーザへ出力する。
【００８９】
撮像部４０９は、図３Ａ〜図３Ｄ、図４Ａ〜図４Ｆ、図５Ａ及び図５Ｂのインカメラ１１３、トップカメラ１２１、リアカメラ１６１に相当する。例えば、トップカメラ１２１やリアカメラ１６１は、通常のカメラでもよいし、広角レンズを有する広角カメラでもよい。広角カメラを搭載すると、より広い範囲の被写体を撮像することができる。
【００９０】
記憶部４１０は、フラッシュメモリ等であり、制御部４０１や各部の動作に必要な情報が記憶される。例えば、記憶部４１０は、制御部４０１で実行される制御プログラムやアプリケーションプログラム、撮像部４０９が撮像した撮像データ等が記憶される。
【００９１】
以上のように本実施の形態では、スマートフォン、タブレット端末、携帯電話などの端末装置において、主面に対して一端面を（垂直ではなく）斜めに設ける。その一端面に合わせて、主面に対して光軸方向が斜めになるようにカメラを配置する。さらには、同じ端面に、使用頻度の高い操作部（ハードキー、タッチキー）、発光部（撮影用ＬＥＤ、報知用ＬＥＤ、フラッシュなど）、集音部（撮影用マイク）、引き出し式のアンテナの先端部を備える。
【００９２】
主面に対し傾斜する傾斜側面に撮像部と操作部を配置することにより、実施の形態１と同様に、ユーザが自然な体勢で表示部を見ながら被写体を容易に撮影することができるようになるとともに、操作しやすくなるという格別な効果を得られる。
【００９３】
なお、本発明は上記実施の形態に限られたものではなく、趣旨を逸脱しない範囲で適宜変更することが可能である。
【００９４】
例えば、上記実施の形態では、傾斜側面（上側面）に撮像部と操作部を配置する例を説明したが、その他、赤外線ポート等、所定の方向に向かって光や電波等を出力または入力する構成を傾斜側面に配置してもよい。これにより、撮像部と同様に、通常の操作状態のまま赤外線通信等を行うことができる。
【００９５】
また、上記実施の形態では、傾斜側面にアンテナを収納する例を説明したが、その他、スタイラスペン等、端末装置で必要となる構成を収納してもよい。これにより、アンテナと同様に、スタイラスペン等の収納や引き出しを容易に行うことができる。
【符号の説明】
【００９６】
１０      端末装置
１０ａ    主面
１０ｂ    傾斜側面
１１      撮像部
１２      表示部
１３      操作部
１００    携帯端末装置
１０１    主面
１０２    上側面
１０３    左側面
１０４    右側面
１０５    下側面
１０５    下側面
１０６    背面
１１１    表示部
１１２    タッチパネル
１１３    インカメラ
１１４    スピーカ
１１５    近接／照度センサ
１１６    ＬＥＤ
１１７    マイク
１１８    ハードキー
１１８ａ  メニューキー
１１８ｂ  ホームキー
１１８ｃ  バックキー
１２１    トップカメラ
１２２、１２２ａ、１２２ｂ  ＬＥＤ
１２３    ＬＥＤ
１２４    操作キー
１２４ａ  フランジ部
１２４ｂ  ボタン部
１２５    マイク
１２６    開口部
１３１    接続端子
１４１    ＵＳＢインタフェース
１４２    イヤホンジャック
１４３    選択キー
１６１    リアカメラ
１６３    赤外線ポート
２００    アンテナ
２０１    アンテナ先端部
２０１ａ  表面部
２０１ｂ  テーパー部
２０１ｃ  つまみ部
２０１ｄ  側部
２０１ｅ  底部
２０２    アンテナロッド部
２０３    アンテナ収納孔
２０４    アンテナ収納凹部
２０５    指掛かり部
２１０    スタンド
２１０ａ  回動端
２１０ｂ  設置端
２１１    凹部
３００    主面パネル
３０１    主面ケース
３０１ａ  テーパー部
３０２    背面ケース
３０２ａ  テーパー部
３０３    上側面ケース
３０３ａ  テーパー部
３０３ｂ  テーパー部
３０４  下側面ケース
３１１〜３１４  境界線
４０１  制御部
４０２  無線通信部
４０３  アンテナ
４０４  チューナ
４０５  アンテナ
４０６  操作部
４０７  音声入力部
４０８  音声出力部
４０９  撮像部
４１０  記憶部
【図１】
2014078874.tif 000003
【図２】
2014078874.tif 000004
【図３Ａ】
2014078874.tif 000005
【図３Ｂ】
2014078874.tif 000006
【図３Ｃ】
2014078874.tif 000007
【図３Ｄ】
2014078874.tif 000008
【図４Ａ】
2014078874.tif 000009
【図４Ｂ】
2014078874.tif 000010
【図４Ｃ】
2014078874.tif 000011
【図４Ｄ】
2014078874.tif 000012
【図４Ｅ】
2014078874.tif 000013
【図４Ｆ】
2014078874.tif 000014
【図５Ａ】
2014078874.tif 000015
【図５Ｂ】
2014078874.tif 000016
【図６Ａ】
2014078874.tif 000017
【図６Ｂ】
2014078874.tif 000018
【図７Ａ】
2014078874.tif 000019
【図７Ｂ】
2014078874.tif 000020
【図８Ａ】
2014078874.tif 000021
【図８Ｂ】
2014078874.tif 000022
【図９】
2014078874.tif 000023